【手続補正書】
【提出日】平成15年7月29日(2003.7.29)
【手続補正１】
【補正対象書類名】明細書
【補正対象項目名】特許請求の範囲
【補正方法】変更
【補正の内容】
【特許請求の範囲】
【請求項１】
円周方向にスパイラル状に形成された記録トラックを有する光学式ディスク記録媒体に対する径方向の走査により得られる再生信号を用いて前記光学式ディスク記録媒体のトラック数を径方向に計数する計数装置であって、
前記光学式ディスク記録媒体に対する径方向の走査の方向に応じて、前記再生信号に基づいて前記記録トラックの数をカウントアップまたはカウントダウンして計数するアップ／ダウン計数手段と、
カウントアップおよびカウントダウンのいずれにより前記記録トラックの数を計数している状態であるかを保持するアップ／ダウン状態保持手段と、
前記再生信号の欠落を検出する欠落検出手段と、
前記再生信号の欠落を検出した場合に、保持している前記状態に応じて前記記録トラック数の計数値を補正する計数値補正手段と
を有する計数装置。
【請求項２】
前記再生信号は、前記光学式ディスク記録媒体に対する径方向の走査の方向により位相差が変化する第１の再生信号および第２の再生信号を含み、
前記アップ／ダウン計数手段は、前記第１の再生信号と前記第２の再生信号との位相差に応じてカウントアップ動作またはカウントダウン動作を行って前記記録トラックを計数する
請求項１に記載の計数装置。
【請求項３】
前記計数値補正手段は、直前の計数時に保持した前記状態に応じて前記記録トラック数の計数値に対する加算または減算を行う
請求項１または２に記載の計数装置。
【請求項４】
スパイラル状の記録トラックを有する光ディスク記録媒体に対する径方向の走査により光ピックアップが横切る記録トラックの数を計数するための計数装置であって、
第１の再生信号を入力し、当該第１の再生信号が第１の所定期間以上に亘り変化しない場合に上記第１の再生信号に補間パルスを追加して第１の補正再生信号を出力する第１の補正回路と、
第２の再生信号を入力し、当該第２の再生信号が第２の所定期間以上に亘り変化しない場合に上記第２の再生信号に補間パルスを追加して第２の補正再生信号を出力する第２の補正回路と、
上記第１の補正再生信号と上記第２の補正再生信号との位相を比較する位相比較回路と、
上記位相比較回路の比較結果に応じて光ピックアップが横切った記録トラックの数を計数するための計数回路と、
を有する計数装置。
【請求項５】
上記第１及び第２の補正回路からそれぞれ供給される補間パルスの追加を示す第１及び第２のパルス補間信号と上記位相比較回路の比較結果とに応じて上記計数回路の計数値を補正する補正制御回路を有する
請求項４に記載の計数装置。
【請求項６】
上記第１及び第２の補正回路が、上記第１及び第２の再生信号における第３及び第４の所定期間内のパルス変化を除去する機能をそれぞれ有する
請求項４又は５に記載の計数装置。
【請求項７】
上記第１、第２、第３及び第４の所定期間が光ピックアップの光ディスク記録媒体に対する走査速度に応じて制御される
請求項４、５又は６に記載の計数装置。
【請求項８】
上記第１の再生信号がトラッキング制御用の差信号であり、上記第２の再生信号がトラッキング制御用の和信号である
請求項４、５、６又は７に記載の計数装置。
【請求項９】
上記計数回路の計数動作が、光ピップアップの走査方向が光ディスク記録媒体の中心方向であるときにカウントアップ又はカウントダウンであり、光ピップアップの走査方向が光ディスク記録媒体の外周方向であるときにカウントダウン又はカウントアップである
請求項４、５、６、７又は８に記載の計数装置。
【手続補正２】
【補正対象書類名】明細書
【補正対象項目名】００２２
【補正方法】変更
【補正の内容】
【００２２】
トラック計数部８
図３は、図１に示したトラック計数部８の構成を示す図である。
図３に示すように、トラック計数部８は、ノイズ除去回路８０、パルス抜け検出回路８２およびアップ／ダウンカウンタ回路（ＵＤＣ）８４から構成される。
トラック計数部８は、これらの構成部分により、光学式ピックアップ１０４が記録媒体１００に記録されたデータにアクセスするために記録媒体１００の径方向に移動（走査）し、トラックを横切る際に生成した４つの再生信号から生成されるトラッキング制御用の差信号（ＴＲＲＥＦ）および和信号（ＴＲＩＮ）のパルスを処理することにより、光学式ピックアップ１０４が横切ったトラック数を計数し、制御回路１１８に対して出力する。


【手続補正３】
【補正対象書類名】明細書
【補正対象項目名】００２４
【補正方法】変更
【補正の内容】
【００２４】
アップ／ダウンカウンタ回路８４
アップ／ダウンカウンタ回路８４は、差信号またはパルス抜け検出回路（カウンタ制御回路）８２から入力される補正パルスの立ち上がり点で和信号が論理値１である場合に計数値ＴＣをインクリメント（カウントアップ）し、和信号が論理値０である場合に計数値ＴＣをデクリメント（カウントダウン）することにより、光学式ピックアップ１０４が横切ったトラックの数を計数（カウント）し、計数値ＴＣを制御回路１１８に対して出力する。


【手続補正４】
【補正対象書類名】明細書
【補正対象項目名】００６４
【補正方法】変更
【補正の内容】
【００６４】
図１１（Ｈ）に示すカウントダウンを行うべき範囲内において、位相比較回路２８が差信号（ＴＲＲＥＦ）の立ち上がりエッジで、図１１（Ｆ）の位置ｈの補正パルスの前の論理値１の部分を誤ってサンプリングし、状態保持回路３０に保持されている状態がカウントダウンを示している場合には、カウント補正制御回路２６は、トラックカウンタ３２が誤って計数を行っていると判断し、トラックカウンタ３２を制御して計数値ＴＣから２を減算させる。この結果、図１１（Ｊ）に示すように、トラックカウンタ３２のトラック数の計数値ＴＣは誤った値６から正しい値４に補正される。
ここで、図１１（Ｆ）の位置ｅ，ｆ，ｇ，ｈにおける補正パルス挿入について説明する。この補正パルスは、ノイズ除去・エッジ検出回路２０、２２のパルス補正回路２１２により挿入されるが、その挿入タイミングはコンパレータ２０６のパルス生成信号により決定される。このパルス生成信号のタイミングは、パルス補正レジスタ２０４のパルス補正設定値により決定されることになるので、結果として、補正パルスの挿入タイミングは上記パルス補正設定値によって決定されることとなる。
上述したように、このパルス補正設定値は、光学式ピックアップ１０４がトラクを横切る際の速度に応じて制御回路１１８により随時変更されるので、そのときどきに応じて種々変化することとなる。従って、補正パルスの挿入タイミングは、上記パルス補正設定値に応じて、図１１（Ｆ）に示すように、位置ｅ，ｆ，ｇ，ｈと異なったタイミングの位置となる。故に、補正パルスが挿入されることにより正しいカウント動作がなされる場合と、補正パルスが挿入されても誤ったカウント動作が行われる場合とが混在することとなる。


【手続補正５】
【補正対象書類名】明細書
【補正対象項目名】００７７
【補正方法】変更
【補正の内容】
【００７７】
また、カウント補正制御回路２６は、図１３（Ｄ）に示した和信号（ＴＲＩＮ）の位置ｄのパルス欠落部分については、図１１（Ｄ）に示した和信号（ＴＲＩＮ）の位置ｂにパルス抜けが生じた場合と同様に、トラックカウンタ３２のトラック数の計数値ＴＣを補正する。


【手続補正６】
【補正対象書類名】図面
【補正対象項目名】図５
【補正方法】変更
【補正の内容】
【図５】
1998172152.tif 000001
【手続補正７】
【補正対象書類名】図面
【補正対象項目名】図６
【補正方法】変更
【補正の内容】
【図６】
1998172152.tif 000002
【手続補正８】
【補正対象書類名】図面
【補正対象項目名】図１１
【補正方法】変更
【補正の内容】
【図１１】
1998172152.tif 000003